(57)【要約】      （修正有）【課題】脆弱な擬餌ワームが移動したり破損したりしないよう強固に固定でき、かつ、擬餌ワームを極力傷つけず、取り付け、取り外しが容易に行える擬餌ワームフックを提供する。【解決手段】釣り糸接続部２、軸４、フトコロ部５、鈎先６からなるフック部と、擬餌ワーム８を容易に強固に極力傷つけず係止する擬餌ワーム係止部７により構成し、擬餌ワーム係止部７は、釣り糸接続部２近傍に、しなやかで張りのある樹脂等の素材にて釣り糸接続部２側にループができるように形成する。擬餌ワーム頭部９を鈎先６側より刺しこみ、擬餌ワーム係止部７を貫通させることでカエシ効果を生じさせる。【選択図】図３
0003155466.tif 000002
【実用新案登録請求の範囲】
【請求項１】
釣り糸接続部とフトコロ、鈎先から構成されるフック部と、擬餌ワームを容易に強固に、かつ極力傷つけず係止する擬餌ワーム係止部により構成され、擬餌ワーム係止部は、釣り糸接続部近傍に、しなやかで張りのある樹脂等の素材にて釣り糸接続部側にループができるように形成した擬餌ワーム保持機能付きフック。
【考案の詳細な説明】
【技術分野】
【０００１】  本考案は、主にブラックバスを対象としたルアーフィッシングに用いられる擬餌ワームフックの改良に関するものである。
【背景技術】
【０００２】  ルアーフィッシングには実に多種の形態があり、その中に擬餌ワームを取り付けたワームフックを用いる釣法がある。メタルジグやスピナーベイトと異なり、擬餌ワームは耐久性に欠けるという欠点を持っている。つまり対象魚の１回のヒットで擬餌ワームがちぎれることもあるし、例え全くヒットしなくとも繰り返すキャストの反動や、水中の障害物の抵抗で、擬餌ワーム頭部が擬餌ワームフックの軸に沿って滑り移動し、擬餌ワーム頭部が釣り糸接続部の直下にある正常な位置を保持できなくなってしまうことになる。【０００３】  擬餌ワームフックに擬餌ワームを取り付ける場合は、一箇所だけに針を掛けるいわゆる「チョン掛け」とするか、釣り糸接続部近傍と針先の二箇所で擬餌ワームを保持するようにしている。擬餌ワームは、引き裂き強度が低いゴム状乃至ゼリー状弾性を有するプラスチックにて製造されていることが多く、一旦引き裂き箇所が発生すると容易に切断されてしまう。【０００４】  通常は、擬餌ワーム一体式の擬餌ワームフックは製造されておらず、擬餌ワームと擬餌ワームフックは別々に市販されている。釣り人は、これらを購入し擬餌ワームフックに脆弱な擬餌ワームを付けて使用することとなる。
【先行技術文献】
【特許文献】
【０００５】
【特許文献１】  実用新案２０００−００１３８１号
【考案の概要】
【考案が解決しようとする課題】
【０００６】  しかし、いずれにしても細い鋼線であるところの擬餌ワームフックによって脆弱な擬餌ワームを留めるわけであるから、現状では擬餌ワームの移動や破損を回避するには、擬餌ワームの材質を強靱なものとする以外に有効な方法は少なかった。【０００７】  ところが、集魚効果、或いは触れたときのリアル感という点で従来の脆弱な擬餌ワームは強い人気があり、これ以外の材質のものは支持されていないのが実状である。【０００８】  また、キャスト等により擬餌ワームが移動するということは、疑似餌としての機能を著しく低下させ、釣果に悪影響を与えてしまうといった問題もあった。【０００９】  本考案はこれらの問題を解決し、脆弱な擬餌ワームを移動、破損させることなく、強固に取り付けるための擬餌ワームフックを提供するものである。
【課題を解決するための手段】
【００１０】  本考案は、主にブラックバスを対象としたルアーフィッシングに用いられる擬餌ワームを取り付ける擬餌ワームフックであって、線状材からなる「フック部」と擬餌ワームを強固に係止する「擬餌ワーム係止部」より構成される。【００１１】  即ち本考案は、「フック部」のみで擬餌ワームを保持するのではなく、「擬餌ワーム係止部」により擬餌ワームを容易に強固に、かつ極力傷つけず係止するものである。「擬餌ワーム係止部」は、釣り糸接続部近傍に、しなやかで張りのある樹脂等の素材にて釣り糸接続部側にループができるように形成する。「擬餌ワーム係止部」の形成は、ナイロン糸等の樹脂製糸を擬餌ワームフックの軸に沿って巻きつけて形成したり、或は成型品を取り付けても良い。【００１２】  擬餌ワーム頭部を鈎先側より刺しこみ、このしなやかで張りのある「擬餌ワーム係止部」を貫通させることで、釣り針でいうところのカエシ効果が生じ、擬餌ワームは強固に固定され、移動や破損を防ぐことができる。
【考案の効果】
【００１３】  前記した構成により、擬餌ワームを強固に固定でき、キャストや対象魚のヒット、水中の障害物の抵抗等で、脆弱な擬餌ワームが簡単に移動したり、破損したりして疑似餌としての機能を著しく低下させたりしなくなり、結果、擬餌ワーム交換作業の頻度が少なくなるとともに、釣果を向上するに至るものである。【００１４】  また、「擬餌ワーム係止部」が、しなやかで張りのある樹脂等の素材を用いた突起のないループ形状であるため、擬餌ワームを取り付けたり、取り外したりすることが容易で、擬餌ワームの破損も最小限に抑えることができる。
【図面の簡単な説明】
【００１５】
【図１】本考案擬餌ワーム保持機能付きフック（オフセットタイプ）の一例を示す斜視図である。
【図２】本考案擬餌ワーム保持機能付きフック（オフセットタイプ）の一例を示す側面図である。
【図３】本考案擬餌ワーム保持機能付きフック（オフセットタイプ）に擬餌ワームを装着した状態を示す側面図である。
【図４】本考案擬餌ワーム保持機能付きフック（ストレートタイプ）に擬餌ワームを装着した状態を示す側面図である。
【図５】従来の擬餌ワームフック（オフセットタイプ）に擬餌ワームを装着した状態を示す側面図である。
【考案を実施するための形態】
【００１６】  本考案は、擬餌ワームを容易に強固に、かつ極力傷つけず取り付ける擬餌ワームフックであって、線状材からなる「フック部」と擬餌ワームを係止する「擬餌ワーム係止部」より構成され、線状材からなるフック自体の形状や材質は当該分野で公知のものであってかまわない。
【００１７】  「擬餌ワーム係止部」は、釣り糸接続部近傍に、しなやかで張りのある樹脂等の素材にて釣り糸接続部側にループができるように形成する。「擬餌ワーム係止部」の形成は、ナイロン糸等の樹脂製糸を擬餌ワームフックの軸に沿って巻きつけて形成したり、或は成型品を取り付けても良い。
【実施例】
【００１８】  以下、添付図面に従って一実施例を説明する。【００１９】  図５は従来の擬餌ワームフック（オフセットタイプ）に擬餌ワームを装着した状態を示す側面図である。従来の擬餌ワームフック（オフセットタイプ）１２は、擬餌ワーム頭部９をクランク部３で、擬餌ワーム尻部１０を鈎先６で保持しようとする構造であるが、その保持力は十分ではなく、対象魚のヒットや、繰り返すキャストの反動、水中の障害物の抵抗等で、擬餌ワーム頭部９がの軸４に沿って滑り移動し、擬餌ワーム頭部９が釣り糸接続部２の直下にある正常な位置を保持できなくなってしまう現象が頻繁に発生し、疑似餌としての機能を著しく低下させ、釣果に悪影響を与えてしまうといった問題があった。【００２０】  本考案擬餌ワーム保持機能付きフックは、従来の擬餌ワームフックのこれらの問題を、以下の実施例をもって解決する。【００２１】  図１は本考案擬餌ワーム保持機能付きフック（オフセットタイプ）の一例を示す斜視図である。図２は本考案擬餌ワーム保持機能付きフック（オフセットタイプ）の一例を示す側面図である。図により明らかなように本考案擬餌ワーム保持機能付きフックは、釣り糸接続部２、クランク部３、軸４、フトコロ部５、鈎先６からなる「フック部」と、しなやかで張りのあるナイロン糸等の樹脂製糸を、擬餌ワームフックの軸に沿って、釣り糸接続部側にループができるように巻きつけて形成した「擬餌ワーム係止部７」により構成される。【００２２】  図３は本考案擬餌ワーム保持機能付きフック（オフセットタイプ）に擬餌ワームを装着した状態を示す側面図である。このように擬餌ワーム頭部９を、本考案擬餌ワーム保持機能付きフック（オフセットタイプ）１の鈎先６側より刺しこみ、しなやかで張りのあるループ状の「擬餌ワーム係止部７」を貫通させることで、釣り針でいうところのカエシ効果が生じ、擬餌ワーム８を強固に固定し、移動や破損を防ぐことができる。擬餌ワーム尻部１０は、従来通り針先６で保持すれば良い。【００２３】  また、「擬餌ワーム係止部７」が、しなやかで張りのある樹脂等の素材を用いた突起のないループ形状であるため、擬餌ワーム８を取り付けたり、取り外したりするのが容易で、擬餌ワーム８の破損を最小限に抑えることができ、擬餌ワーム８が再利用できる点において優れている。【００２４】  図４は本考案擬餌ワーム保持機能付きフック（ストレートタイプ）に擬餌ワームを装着した状態を示す側面図である。このようにストレートタイプの擬餌ワームフックであっても、「擬餌ワーム係止部７」は容易に形成できるため、擬餌ワームフック自体の形状や材質は当該分野で公知のものであってかまわない。【００２５】  本考案擬餌ワーム保持機能付きフックの一実施例は前述の如き構成からなるものであり、多種多様な擬餌ワームを容易に強固に固定でき、キャストや対象魚のヒット、水中の障害物の抵抗等で、脆弱な擬餌ワームが簡単に移動したり、破損したりして疑似餌としての機能を著しく低下させたりしなくなり、結果、擬餌ワーム交換作業の頻度が少なくなるとともに、釣果を向上するに至り、かつ、擬餌ワーム交換作業における擬餌ワームの破損も最小限に抑えることができる画期的な擬餌ワームフックである。
【符号の説明】
【００２６】  １  本考案擬餌ワーム保持機能付きフック（オフセットタイプ）
２  釣り糸接続部
３  クランク部
４  軸
５  フトコロ部
６  針先
７  擬餌ワーム係止部
８  擬餌ワーム
９  擬餌ワーム頭部
１０  擬餌ワーム尻部
１１  本考案擬餌ワーム保持機能付きフック（ストレートタイプ）
１２  従来の擬餌ワームフック（オフセットタイプ）
【図１】
0003155466.tif 000003
【図２】
0003155466.tif 000004
【図３】
0003155466.tif 000005
【図４】
0003155466.tif 000006
【図５】
0003155466.tif 000007